(57)【要約】      （修正有）【課題】バスインタフェースを有し、電源供給装置とマザーボードを含むパソコンホストを提供する。【解決手段】電源供給装置はメイン電力システムと常態電力システムを具備し、常態電力システムが出力される直流電力は電力開閉ユニットを駆動するのに用いられ、且つ電力開閉ユニットによりパソコンをオンするための信号とパソコンをオフするための信号を出力することで、マザーボードは演算論理回路と、前記内部の電子装置と電気的に接続するデータ転送ポートを有し、パソコンホストにバスを設置し、データ伝送端子はマザーボードでのデータ転送ポートに電気的に接続し、電力伝送端子は常態電力システムを電気的に接続し、前記バスがパソコンホストをオンまたはオフするいずれの場合でも常態電力システムから出力する直流電力を受けるものを含む。【選択図】図２
0003128443.tif 000002
【実用新案登録請求の範囲】
【請求項１】
パソコンホストは外部の電力端を電気的に接続し直流電力に転換するメイン電力システムと、前記メイン電力システムと前記外部電力端と並列に接続し直流電力に転換する常態電力システムを具備する電源供給装置であって、前記メイン電力システムが出力される直流電力は少なくとも一つの内部電子装置を駆動するのに用いられ、前記常態電力システムが出力される直流電力は電力開閉ユニットを駆動するのに用いられ、且つ前記電力開閉ユニットはパソコンをオンするための信号とパソコンをオフするための信号を出力するものと、
前記メイン電力システム及び常態電力システムを電気的に接続するマザーボードであって、前記マザーボードは演算論理回路と、前記内部の電子装置と電気的に接続するデータ転送ポートを有するものと、
前記パソコンホストに設置されるバスであって、前記バスは電力伝送端子とデータ伝送端子を有し、前記データ伝送端子はマザーボードでのデータ転送ポートに電気的に接続し、前記電力伝送端子は常態電力システムを電気的に接続し、前記バスが前記パソコンホストをオンまたはオフするいずれかの場合でも前記常態電力システムから出力する直流電力を受けるものを含むことを特徴とするバスインタフェースを有するパソコンホスト。
【請求項２】
前記バスが電力/信号伝送線を前記マザーボードに接続し前記マザーボードと常態電力システムにより電気的に接続するものを有することを特徴とする請求項１に記載のバスインタフェースを有するパソコンホスト。
【請求項３】
前記バスが信号伝送線を前記マザーボードに接続しデータ信号を行う伝送することと電力伝送線を電源供給装置及び前記常態電力システムに電気的に接続するものを有することを特徴とする請求項１に記載のバスインタフェースを有するパソコンホスト。
【請求項４】
前記バスがユニバーサル、シリアル、バス（ＵＳＢ）またはＩＥＥＥＥ１３９４であることを特徴とする請求項１、２、または３に記載のバスインタフェースを有するパソコンホスト。
【考案の詳細な説明】
【技術分野】
【０００１】
本考案はバスインタフェースを有するパソコンホストに関するものであり、特にオンの状態においても直流電力をバスに供給する設計を指す。
【背景技術】
【０００２】
現行のマザーボードＡＴＸ規格の設計構造については、その特徴として、パソコン起動時に供給される直流電流（3.3Ｖ、5Ｖ、12Ｖ…）以外に、オン、オフに関係なく随時パソコンホストに起動電力を供給できる常態電力システムを具備している。
【０００３】
これに対して、現行のパソコンの応用技術は、稼働システム及びその他の応用ソフトプログラム作業以外に、パソコンホストがオンの状態で単独で稼働する多くの外部電子装置が進歩しており、例えば、スピーカー、ランプ、ＣＤ−ＲＯＭパネルで直接音楽ＣＤを流す装置や携帯充電ソケットなどの装置、或いはケースに設置された小型液晶スクリーンが表示する温度、湿度、時間などの情報の観察、若しくは発光効果のある華麗なケースの鑑賞など、こうした類の運用にはパソコンホストがオン状態である必要はなく、単独で稼働する。
【０００４】
現在市販されているパソコンには上記の効果を達成したものは見当たらない。その主な原因はパソコン内部のスペースには限りがあり、ＨＤＤ、ＣＤ−ＲＯＭ、マザーボードなどの内部装置を配置すると、残されたスペースでは余分な電力供給モジュールを設置するには足りず、またパソコンをオフにしても電源供給装置の常態電力が運用できるには、機殻パネルに多くのジャッキを設け、ホスト内部に電力線を余分に設けて直流電力を供給してはじめて常態電力で外部電子装置に電力を供給できるのだが、こうした方法は何れもパソコンがダウンサイジングや内部の配線材料の簡素化、ケースパネルの簡素化設計が求められるという動向に逆行し、一般消費者には受け入れられないのである。
【０００５】
現在パソコンには通常ＵＳＢが配置されており、一般的にＵＳＢはデータ伝送の用途の他に、本体自身も５Ｖの直流電力を供給できるが、パソコンホストをオフにすると、電力伝送部分もこれに従って中断されるのである。このため従来のＵＳＢ（又は現行のＩＥＥＥ１３９４）を使用して電力システムを提供し、パソコンホストのＵＳＢがパソコンのオン・オフに拘わり無く直流電力を提供できれば、外部電子装置にマッチングしたＵＳＢ  ジョイントはホストのＵＳＢを直接使用して直流電源が得られ、電力使用の利便性が向上し、前記のスペース不足等の欠点も解消できるのである。
【考案の開示】
【考案が解決しようとする課題】
【０００６】
本考案の主な目的はバスインターフェースを有するパソコンソフトを提供することにあり、それはパソコンソフトがオン又はオフ何れの状態でも電源供給装置の常態電力システムは前記バスに電気を供給でき、これによってパソコンホストに設置されたバスは常態電力システムが供給する電力を受けるだけで、マッチングしたジョイントを有する外部電子装置は全て前記バスが使用可能で、パソコンホストがオン若しくはオフの状態で必要とされる直流電源が得られる。
【課題を解決するための手段】
【０００７】
上記の目的の実現のため、本考案が開示する好ましい実施例は以下のものを含む。電源供給装置及び前記電源供給装置に電気的に接続するマザーボードで、前記電源供給装置はメイン電力システムと常態電力システムを具え、前記常態システムが出力する直流電力は電力開閉ユニットを稼働させるのに用いられ、かつ電力開閉ユニットはパソコン起動信号並びにパソコンオフ信号を出力するものであり、前記マザーボードは演算論理回路及び前記内部電子装置と電気的に接続するデータ転送ポートを有し、前記パソコンホストにバスが設置され、前記バスは電力伝送端子とデータ伝送端子を有し、前記データ伝送端子はマザーボードでのデータ転送ポートに電気的に接続し、前記電力伝送端子は前記常態電力システムと電気的に接続し、前記バスが前記パソコンホストをオン又はオフの何れの場合でも、前記常態電力システムから出力する直流電力を受けることができる。
【考案を実施するための最良の形態】
【０００８】
本考案の詳しい説明及び技術的内容については、図式と合わせて下記の通り説明する。
【０００９】
「図１」および「図３」は本考案の好ましい実施例の構造図ならびに回路の長方形図であり、図示されるように、本考案はバスインターフェースを有するパソコンホストで、前記パソコンホスト１０は下記のものを含む。
【００１０】
電源供給装置３０で、前記電源供給装置３０は外部の電力端２０と電気的に接続（普通の電力でも可）し、直流電力に転換するメイン電力システム３１並びに前記メイン電力システム３１、及び前記外部電力端２０と並列に接続し、直流電力に転換する常態電力システム３２を具備し、前記メイン電力システム３１が出力される直流電力は少なくとも一つの内部電子装置４０を稼働させるのに用いられ（例えば、マザーボード、ＨＤＤ、ＣＤ−ＲＯＭなど）、前記常態電力システム３２が出力する直流電力は電力開閉ユニット８０を稼働させるのに用いられ、且つ前記電力開閉ユニット８０はパソコン起動信号とパソコンオフ信号を出力する。これにより、前記パソコンホスト１０のオン又はオフ状態をコントロールでき、オン状態でメイン電力システム３１は直流電力を出力し、オフ状態でメイン電力システム３１は電力供給を中断する（ＡＴＸ規格では常態電力システム３２は依然電力を供給し続ける）。
【００１１】
前記電力システム３１並びに常態電力システム３２に電気的に接続するマザーボード５０で、マザーボード５０と電源供給装置３０とが電気的に接続するのは主に電源供給装置３０の電力線３０１を通して、マザーボード５０のソケット５１と互いに接続して電力信号（５Ｖｓｔｂを含む）を伝送し、前記マザーボード５０は演算論理回路及びその他の内部電子装置４０と電気的に接続するデータ転送ポート（つまり一般にＩ/Ｏと云われ、図ではバス６０と接続しているデータ転送ポート５２を示すに留まる）を有しており、ＨＤＤ、ＣＤ−ＲＯＭ等の内部電子装置４０はデータ転送ポート及びマザーボード５０を通じてデータ信号を伝送し、演算論理回路が処理を行なう。このほかに、前記マザーボード５０はさらに起動電力転送ポート５３を有し、マザーボード５０の回路経由で前記起動電力転送ポート５３は常態電力システム３２が出力する直流電力を有し、電力開閉ユニット８０の電力伝送線８１は前記起動電力転送ポート５３に接続し、前記常態電力システム３２と電気的に接続する。
【００１２】
前記パソコンホスト１０の表面にはバス６０が設けられているが、前期バス６０はＵＳＢ若しくはＩＥＥＥ１３９４バスに限られず、前期バス６０が具備する端子は電力伝送端子６０１とデータ伝送端子６０２に区分され、そのうちデータ伝送端子６０２はマザーボード５０又はその他の内部電子装置４０と電気的に接続し、データ信号を伝送し、一方、電力伝送端子６０１は前記常態電力システム３２と電気的接続して直流電力を得、前記バス６０は、パソコンホスト１０がオン又はオフ何れの状態でも前記常態電力システム３２が出力する直流電力を受け取る。
【００１３】
本件の好ましい実施例において、前記バス６０は電力/信号伝送線６１（図３の電力伝送線６１２並びに信号伝送線６１１を整合している）は前記マザーボード５０に接続され、前記マザーボード５０のデータ転送ポート５２（合わせて電力を出力する）を通じて前記常態電力システム３２と電気的に接続し、パソコンホスト１０がオンの状態で、例えばマウス、キーボード等の外部電子装置７１（電力及びデータ信号の伝送が必須。「図３」参照）に接続でき、またパソコンホスト１０がオフの状態でも、常態電力システム３２の直流電力を受け取っているので、ランプ、携帯充電器などの外部電子装置７２に接続して電力信号を出力することができる。
【００１４】
別件の実施例として「図２」では、前記バス６０には信号伝送線６１１が有り、前記マザーボード５０のデータ転送ポート５２ａに接続してデータ信号伝送の役目を果たしており、また電力伝送線６１２は電源供給装置３０に接続して、前記常態システム３２と電気的に接続し、前の実施例と同等の効果が達成できる。上記で述べたように、本考案はパソコンホスト１０がオン又はオフ何れの状態でも、電源供給装置３０の常態電力システム３２は前記バス６０に電力を供給し、これによりパソコンホスト１０に設置したバス６０は常態電力システム３２が供給する直流電力を受け取るだけで、マッチングしたジョイント（ＵＳＢ又はＩＥＥＥ１３９４）を具備したあらゆる外部電子装置７１、７２は前記バス６０を使用することができ、パソコンホスト１０がオン若しくはオフの状態で必要とされる直流電源が得られ、電力運用の利便性が向上するのである。
【００１５】
上記内容は本考案の好ましい実施例に過ぎず、本考案の実施範囲を限定するものではない。また、本考案の特許申請範囲の内容に基づいて為された等価改変若しくは補正等は、全て本発明における特許の範囲内に属するものとする。
【図面の簡単な説明】
【００１６】
【図１】本考案の好ましい実施例の構造図である。
【図２】本考案別件の好ましい実施例の構造図である。
【図３】本考案の好ましい実施例の回路長方形図である。
【符号の説明】
【００１７】
２０  外部電力システム
３１  メイン電力システム
３２  常態電力システム
４０  内部の電子装置（マザーボード、HDD）
５０  マザーボード
５２  データ転送ポート
６０  バス
６０２  データ伝送端子
６０１  電力伝送端子
６１１  信号伝送線
６１２  電力伝送線
７１  外部の電子装置（マウス、キーボード）
７２  外部の電子装置（ランプ）
８０  電力開閉ユニット
【図１】
0003128443.tif 000003
【図２】
0003128443.tif 000004
【図３】
0003128443.tif 000005